【手続補正書】
【提出日】平成22年3月18日(2010.3.18)
【手続補正１】
【補正対象書類名】明細書
【補正対象項目名】００４２
【補正方法】変更
【補正の内容】
【００４２】
大径ギア２３２のアール溝２３４及び大径ギア２３６のアール（Ｒ）溝２３８は、線材１の外径に合わせて形成される。このようにすると大径ギア２３２及び２３６が線材１の外周を包み込むようにして線材１を送ることができるので、大径ギア２３２及び２３６をＶ溝で構成する場合に比べて、安定してコイル成形を実行できるようになる。
【手続補正２】
【補正対象書類名】明細書
【補正対象項目名】００８２
【補正方法】変更
【補正の内容】
【００８２】
これらの用紙載置台４６、用紙揃えガイド４１及び用紙当接ピン４６ｄは、パンチ孔３ａを有した複数の各々の用紙Ｐを所定位置に揃え込み、用紙クランプ４５は、用紙束３をクランプするようになされる。この例で、用紙載置台４６は所定の厚みを有しており、側面板４３ａ，４３ｂで挟まれた本体シャーシ部４０ｃ上に設置されている。
【手続補正３】
【補正対象書類名】明細書
【補正対象項目名】００９５
【補正方法】変更
【補正の内容】
【００９５】
この押込みローラ３１ａは回転部材の一例を構成し、回転軸棒３１ｃに取り付けられる。この押込みローラ３１ａは、用紙Ｐのパンチ孔３ａの部位に係る用紙Ｐの一辺を用紙長としたとき、この用紙長以上の長さを有している。なお、用紙長と略同等の長さであれば、多少用紙長以下であっても良い。押込みローラ３１ａは側面板４３ａ，４３ｂに挟まれた状態で設置され、繋ぎ部３０の拾込みガイドローラ３１ｂから受け取った螺旋コイル１１を用紙Ｐのパンチ孔３ａに案内する。
【手続補正４】
【補正対象書類名】明細書
【補正対象項目名】０１０５
【補正方法】変更
【補正の内容】
【０１０５】
上述の拾込みローラ３１ｂは、バインド機構４０の送りローラ３１の押込みローラ３１ａの一端に取り付けられ、当該押込みローラ３１ａと同じ方向に回転し、しかも、当該押込みローラ３１ａと同じ方向に上下動するようになされる。拾込みローラ３１ｂには、バインド機構４０の押込みローラ３１ａと同じ材質のローラ部材が使用される。拾込みローラ３１ｂも、バインド機構４０の押込みローラ３１ａと同様にして、端面が台錐形状に加工されている。この例で拾込みローラ３１ｂには、バインド機構４０の押込みローラ３１ａよりも一回り外形が小さく設定されたものが使用される。これは螺旋コイル１１ａ等の拾い込みを円滑にするためである。
【手続補正５】
【補正対象書類名】明細書
【補正対象項目名】０１２３
【補正方法】変更
【補正の内容】
【０１２３】
この例で、螺旋コイル１１のコイル（螺旋）ピッチは、パンチ孔３ａの開口ピッチに合わせて成形される。螺旋コイル１１は、１回転で１ピッチ進む。螺旋コイル１１の１ピッチは、コイル径に関係無く６ｍｍ程度である。これはパンチ孔３ａの開口ピッチがコイル径に関係無く一定であることによる。このため、用紙束３の厚さに左右されることなく、用紙束３を斜めに紙揃えして、傾斜を一定にするようになされる。換言すると、パンチ孔３ａを斜めに揃えるようになされる。
【手続補正６】
【補正対象書類名】明細書
【補正対象項目名】０１２７
【補正方法】変更
【補正の内容】
【０１２７】
これにより、押込みローラ３１ａ、螺旋ガイド４６ａ及び螺旋ガイド４９の３点で螺旋コイル１１を支持できるようになる。押込みローラ３１ａは、螺旋コイル１１を回転し、当該コイルを用紙束３のパンチ孔を縫うように進行させ、用紙束３の一端から他端（幅方向）へ送るように動作する。この動作の結果で、複数のコイル径の螺旋コイル１１で安定して用紙束３を綴じ処理できるようになる。
【手続補正７】
【補正対象書類名】明細書
【補正対象項目名】０１３１
【補正方法】変更
【補正の内容】
【０１３１】
この例で、小径の螺旋コイル１１ａの位置を設定する場合は、螺旋ガイド４９がホームポジションＨＰから用紙束３のパンチ孔３ａに近接する方向へ第１の距離ｄ１’だけ移動され、中径の螺旋コイル１１ｂの位置を設定する場合は、螺旋ガイド４９が、同様に用紙束３のパンチ孔３ａの方向へ第２の距離ｄ２’だけ移動され、大径の螺旋コイル１１ｃの位置を設定する場合は、螺旋ガイド４９が同様に用紙束３のパンチ孔３ａの方向へ第３の距離ｄ３’だけ移動される（ｄ１’＞ｄ２’＞ｄ３’）。これにより、クランプ後、螺旋ガイド４９の位置をバインド機構４０で調整できるようになる。
【手続補正８】
【補正対象書類名】明細書
【補正対象項目名】０１４１
【補正方法】変更
【補正の内容】
【０１４１】
このようにパンチ孔３ａに螺旋コイル１１ａを挿通するためには、先ず、螺旋ガイド４９及び図１８に示した送りローラ３１を所定の位置に配置する。例えば、螺旋ガイド４９は、螺旋コイル１１ａに当接する位置（図１６Ｂの距離ｄ１’）に配置する。なお、用紙載置台４６の位置は固定されている。
【手続補正９】
【補正対象書類名】明細書
【補正対象項目名】０１７０
【補正方法】変更
【補正の内容】
【０１７０】
図２３は、バインド機構４０における大径の螺旋コイル１１ｃの位置設定時の動作例を示す側面図である。この例で、大径の螺旋コイル１１ｃの位置を設定する場合、送りローラ３１が鉛直方向へ第３の距離ｄ３だけ移動される（ｄ１＞ｄ２＞ｄ３）。これにより、クランプ後、送りローラ３１の位置をバインド機構４０で調整できるようになる。
【手続補正１０】
【補正対象書類名】明細書
【補正対象項目名】０１９１
【補正方法】変更
【補正の内容】
【０１９１】
このように、用紙束３を斜めに紙揃えすると、用紙束３のパンチ孔に螺旋コイル１１の先端が引っかかることなく、用紙束３のパンチ孔に螺旋コイル１１の先端を円滑に通すことができるようになる。しかも、小径及び大径の螺旋コイル１１ａ，１１ｃとパンチ孔３ａとのクリアランスを十分に確保できるので、当該螺旋コイルの先端が用紙束３のパンチ孔３ａの壁面に衝突することなく、小径及び大径の螺旋コイル１１ａ，１１ｃを安定して挿通することができる。もちろん、用紙束紙揃え時に、用紙束３の厚さに応じて傾斜角度を変えるようにしてもよい。
【手続補正１１】
【補正対象書類名】明細書
【補正対象項目名】０２１５
【補正方法】変更
【補正の内容】
【０２１５】
図３２Ａはカット＆折り曲げ機構７５のコイル先端の折曲時の動作例を示す上面図である。図３２Ａに示すコイル先端の折曲時のカット＆折り曲げ機構７５によれば、そのレバー７５ｆは、図３１Ａに示した切断位置から更に矢印Ｐ５の方向に回転されて折曲位置に移行される。
【手続補正１２】
【補正対象書類名】明細書
【補正対象項目名】０２１６
【補正方法】変更
【補正の内容】
【０２１６】
図３２Ｂは、図３２Ａの破線円内のカット＆折り曲げ機構７５の構成例を示す拡大図である。図３２Ｂに示すカット＆折り曲げ機構７５によれば、その挟持当て部７５ａと挟持受け部７５ｂは、当該挟持当て部７５ａの本体のバネ引掛け部７５３に引っ掛けられたバネ７５ｍの弾性力により、螺旋コイル１１を挟んで保持した状態を維持している。
【手続補正１３】
【補正対象書類名】明細書
【補正対象項目名】０２３５
【補正方法】変更
【補正の内容】
【０２３５】
このとき、用紙処理装置１００側のロック機構６のロック部５をボビン１２ａの開口部１２ｄに挿入して線材カートリッジ１０にセンサケース部４を挿入すると、ロック部５が線材カートリッジ１０をロックすると共に、線材検知センサ６５の発光素子及び受光素子がボビン１２ａ及び巻き軸１２ｂの窓部１２ｃに臨むように配置できるようになる。
【手続補正１４】
【補正対象書類名】明細書
【補正対象項目名】０２６０
【補正方法】変更
【補正の内容】
【０２６０】
操作部６６は、マニュアルモードによりコイルバインド処理する場合は、Ｉ／Ｏポート５１を介してコイル径の設定や、起動命令等の操作データＤ６６をＣＰＵ５５へ出力するように操作される。コイル径は、用紙束３の厚さに対応する円弧状部＃φ８，＃φ１１，＃φ１４からいずれか１つが選択される（第２の実施例）。
【手続補正１５】
【補正対象書類名】明細書
【補正対象項目名】０２６９
【補正方法】変更
【補正の内容】
【０２６９】
上述のＩ／Ｏポート５１に接続されたモータ駆動部７１では、モータ制御データＤ７１に基づいてコイル成形機構２０における成形アダプタ２８ａの３つの円弧状部＃φ８，＃φ１１，＃φ１４の中から用紙束３の厚さに対応する１つの円弧状部が選択される。
【手続補正１６】
【補正対象書類名】明細書
【補正対象項目名】０２７３
【補正方法】変更
【補正の内容】
【０２７３】
制御データＤ２０が中径の螺旋コイル１１ｂの位置設定を示す場合、送りローラ３１を鉛直方向へ第２の距離ｄ２だけ移動すると共に、螺旋ガイド４９を用紙束３のパンチ孔３ａの方向へ第２の距離ｄ２’だけ移動するように制御する。制御データＤ２０が大径の螺旋コイル１１ｃの位置設定を示す場合、送りローラ３１を鉛直方向へ第３の距離ｄ３だけ移動する（ｄ１＞ｄ２＞ｄ３）。これと共にＣＰＵ５５は、螺旋ガイド４９を用紙束３のパンチ孔３ａの方向へ第３の距離ｄ３’だけ移動するように制御する（ｄ１’＞ｄ２’＞ｄ３’）。これにより、クランプ後、モータ制御データＤ７３に基づいて、送りローラ３１及び螺旋ガイド４９の位置をバインド機構４０で調整できるようになる（図１６Ｂ参照）。
【手続補正１７】
【補正対象書類名】明細書
【補正対象項目名】０２７７
【補正方法】変更
【補正の内容】
【０２７７】
この例で、ＣＰＵ５５は、コイル成形部２８から送出される螺旋コイル１１の回転速度Ｖ１と、バインド機構４０における螺旋コイル１１の回転速度Ｖ２をＶ１≦Ｖ２に設定して螺旋コイル１１の綴じ速度を制御する。回転速度Ｖ１はモータ制御データＤ７３を介してモータ駆動部７３に設定される。モータ駆動部７３は、モータ制御データＤ７３に基づいてコイル成形機構２０のモータ７０３を回転速度Ｖ１に制御する。
【手続補正１８】
【補正対象書類名】明細書
【補正対象項目名】０２９０
【補正方法】変更
【補正の内容】
【０２９０】
従って、用紙束３において各パンチ孔３ａを斜めにずらすことができるようになったので、斜めにずらされた用紙束３のパンチ孔３ａに螺旋コイル１１ａ等を円滑に挿通できるようになった。
【手続補正１９】
【補正対象書類名】明細書
【補正対象項目名】０２９２
【補正方法】変更
【補正の内容】
【０２９２】
従って、用紙束３のパンチ孔３ａに螺旋コイル１１ａの挿通開始をする位置にカット＆折り曲げ機構７５を配置できるようになる。しかも、そのパンチ孔３ａに挿通された螺旋コイル１１ａの端部を保持固定した状態で、その端部を確実に切断及び折り曲げ処理できるようになる。これにより、コイル成形処理、コイルバインド処理及びコイル切断処理に至る一連の工程を１台の筐体の中で実現するフィニッシャ等を提供できるようになった。
【手続補正２０】
【補正対象書類名】明細書
【補正対象項目名】０２９９
【補正方法】変更
【補正の内容】
【０２９９】
制御部２１０は、画像形成部２０７、モニタ２０８及び操作部２０９の入出力を制御する。例えば、制御部２１０は、操作部２０９からの操作データＤ２９を入力して、画像形成部２０７へ画像制御データＤ２７を出力し画像形成制御を実行したり、モニタ２０８に表示データＤ２８を出力して表示制御を実行する。
【手続補正２１】
【補正対象書類名】明細書
【補正対象項目名】０３０３
【補正方法】変更
【補正の内容】
【０３０３】
コイル成形機構２０では、選択機構２８’により選択された円弧状部＃φ８等に線材１を押し込んで螺旋コイル１１を成形するようになる。パンチ＆用紙揃えユニット４８では、画像形成装置２００から出力される画像形成済みの用紙Ｐに１枚ずつパンチ孔３ａを開孔して用紙束３とするように揃える。バインド機構４０では、コイル成形機構２０によって成形された螺旋コイル１１で、パンチ＆用紙揃えユニット４８で揃えられた用紙束３のコイルバインド処理を実行する。
【手続補正２２】
【補正対象書類名】明細書
【補正対象項目名】０３０９
【補正方法】変更
【補正の内容】
【０３０９】
これらをバインド処理条件として、図４１に示すフローチャートのステップＴ１で、フィニッシャ１００’のＣＰＵ５５は、画像形成装置２００からバインド処理の開始を示す用紙搬送開始情報を入力したか否かを判定する。
【手続補正２３】
【補正対象書類名】明細書
【補正対象項目名】０３１５
【補正方法】変更
【補正の内容】
【０３１５】
ステップＴ５で、ＣＰＵ５５は、選定機構２８’で小径用の円弧状部＃φ８を選択すると共に、小径用の螺旋コイル１１ａにより用紙束３をバインドするようにモータ駆動部７３を制御する。このとき、モータ駆動部７１では、モータ制御データＤ７１に基づいてコイル成形機構２０における成形アダプタ２８ａの３つの円弧状部＃φ８，＃φ１１，＃φ１４の中から用紙束３の厚さに対応する１つの円弧状部が選択される。例えば、モータ駆動部７１では、モータ制御データＤ７１からモータ制御信号（電圧）Ｓ７１が生成され、モータ制御信号Ｓ７１をモータ７０１に出力する。モータ７０１は、モータ制御信号Ｓ７１に基づいて反時計方向に回転してコイル径を設定するための成形アダプタ２８ａを回転し半月切欠き状の円弧状部＃φ８等を選択する（コイル径選定機能）。
【手続補正２４】
【補正対象書類名】明細書
【補正対象項目名】０３３４
【補正方法】変更
【補正の内容】
【０３３４】
次に、ステップＴ１４で、図２８Ａに示した螺旋ガイド４９のカット＆折り曲げ機構７５により螺旋コイル１１ａの端部処理を行う。例えば、レバー７５ｆを時計回りに回転して挟持当て部７５ａを挟持受け部７５ｂに接近させ、図３１Ｂに示したように挟持当て部７５ａと挟持受け部７５ｂにより螺旋コイル１１ａを挟んで保持する。このとき、カッター７５ｃとカッター受け部７５ｄの間には、螺旋コイル１１ａが挟まれている。
【手続補正２５】
【補正対象書類名】明細書
【補正対象項目名】０３３５
【補正方法】変更
【補正の内容】
【０３３５】
その後、挟持当て部７５ａと挟持受け部７５ｂにより螺旋コイル１１ａを挟持した状態で、更にレバー７５ｆを時計回りに回転することにより、カッター７５ｃのみを時計回りに回転させ、当該カッター７５ｃとカッター受け部７５ｄとの間に挟まれた螺旋コイル１１ａを切断する。
【手続補正２６】
【補正対象書類名】明細書
【補正対象項目名】０３３６
【補正方法】変更
【補正の内容】
【０３３６】
切断後、レバー７５ｆを時計回りに更に回転し、図３２Ｂに示したように、折曲部７５ｅと挟持受け部７５ｂとの間に挟まれた螺旋コイル１１の切断端部１１’を根元から約９０°ほど螺旋コイル１１内部側に折り曲げる。これにより、コイルバインディングされた冊子９０を得られる。このように、螺旋コイル１１ａの端部処理を行ってステップＴ１５に移行する。なお、螺旋コイル１１の端部処理を行う場合、図示しないカムや、モータ又はソレノイド等でレバー７５ｆを動作するようになされる。もちろん、マニュアルモードを利用する場合は、手動でレバー７５ｆを動作させてもよい（第２の実施例参照）。
【手続補正２７】
【補正対象書類名】明細書
【補正対象項目名】０３４０
【補正方法】変更
【補正の内容】
【０３４０】
次に、ステップＴ７で、ＣＰＵ５５は、中径用の螺旋コイル１１ｂにより用紙束３をバインドするようにモータ駆動部７３を制御する。この例で、ＣＰＵ５５は、中径用のモータ制御データＤ７３をモータ駆動部７３に出力する。モータ駆動部７３は、ＣＰＵ５５から入力したモータ制御データＤ７３に基づいて中径用のモータ制御信号Ｓ７３を作成し、このモータ制御信号Ｓ７３を位置調整用のモータ７０３に出力してステップＴ１０に移行する。ステップＴ１０で、中径の螺旋コイル１１ｂ用に作成されたモータ制御信号Ｓ７３に基づいて、用紙クランプ４５、送りローラ３１及び螺旋ガイド４９の位置を調整する。
【手続補正２８】
【補正対象書類名】明細書
【補正対象項目名】０３４２
【補正方法】変更
【補正の内容】
【０３４２】
また、上述のステップＴ６で、用紙束３が７０枚を越え、用紙枚数情報が基準値「７０」以下でないと判定した場合、小径及び中径の螺旋コイル１１ａ，１１ｂを設定しないと判断してステップＴ８に移行する。ステップＴ８で、ＣＰＵ５５は、用紙枚数情報が７０枚を越え、１００枚以下であるか否かを判定する。例えば、ＣＰＵ５５は、この用紙枚数情報と、メモリ部５４に保存された基準値「１００」とを比較する。比較後、この用紙枚数情報が基準値「１００」以下であると判定した場合、大径用の螺旋コイル１１ｃの位置設定を実行するべくステップＴ９に移行する。
【手続補正２９】
【補正対象書類名】明細書
【補正対象項目名】０３４３
【補正方法】変更
【補正の内容】
【０３４３】
次に、ステップＴ９で、ＣＰＵ５５は、大径用の螺旋コイル１１ｃにより用紙束３をバインドするようにモータ駆動部７３を制御する。この例で、ＣＰＵ５５は、大径用のモータ制御データＤ７３をモータ駆動部７３に出力する。モータ駆動部７３は、ＣＰＵ５５から入力したモータ制御データＤ７３に基づいて大径用のモータ制御信号Ｓ７３を作成し、このモータ制御信号Ｓ７３を位置調整用のモータ７０３に出力してステップＴ１０に移行する。ステップＴ１０で、大径の螺旋コイル１１ｃ用に作成されたモータ制御信号Ｓ７３に基づいて、用紙クランプ４５、送りローラ３１及び螺旋ガイド４９の位置を調整する。
【手続補正３０】
【補正対象書類名】明細書
【補正対象項目名】０３５９
【補正方法】変更
【補正の内容】
【０３５９】
この例で、用紙Ｐには、専用又は市販のパンチャーでパンチ孔３ａが開孔され、その後、図４３Ａに示すコイルバインダ１０２に、開孔された用紙Ｐを束ねてセットするように取り扱われる。その後、図４３Ｂに示すコイルバインダ１０２で所定の太さの線材１から螺旋コイル１１を成形し、当該螺旋コイル１１で用紙束３をバインド処理する場合を前提とする。
【手続補正３１】
【補正対象書類名】明細書
【補正対象項目名】０３６６
【補正方法】変更
【補正の内容】
【０３６６】
次に、ステップＳＴ７で制御部５０は、用紙載置台４６上から冊子９０が排出されたかを判別する。このとき、制御部５０は、図３９に示した用紙センサ６１から得られる用紙検知データＤ６１（信号Ｓ６１）と、信号レベル判別用の閾値とを比較して冊子９０が排出されたかを検出する。用紙検知データＤ６１が閾値を下回る場合は、冊子９０が排出されたことが検出される。その後、ステップＳＴ８に移行する。
【手続補正３２】
【補正対象書類名】明細書
【補正対象項目名】０３７１
【補正方法】変更
【補正の内容】
【０３７１】
【図１】本発明に係るコイル成形機を応用した実施形態としての用紙処理装置１００の構成例を示す斜視図である。
【図２】（Ａ）〜（Ｃ）は、用紙処理装置１００の機能例を示す工程図である。
【図３】コイル成形機構２０の構成例を示す斜視図である。
【図４】コイル成形機構２０の組立例（その１）を示す斜視図である。
【図５】コイル成形機構２０の組立例（その２）を示す斜視図である。
【図６】コイル成形例（その１）を説明する工程図である。
【図７】コイル成形例（その２）を説明する工程図である。
【図８】コイル成形例（その３）を説明する工程図である。
【図９】コイル成形例（その４）を説明する工程図である。
【図１０】コイル成形例（その５）を説明する工程図である。
【図１１】バインド機構４０の構成例を示す斜視図である。
【図１２】繋ぎ部３０及びその周辺機構の構成例を示す斜視図である。
【図１３】バインド機構４０の繋ぎ部側の主要部品の組立例を示す分解斜視図である。
【図１４】繋ぎ部３０の機能例を示す断面図である。
【図１５】他のコイル径に対する繋ぎ部３０の機能例を示す断面図である。
【図１６】（Ａ）及び（Ｂ）は、螺旋ガイド４６ａの凸状歯４６ｂ及び螺旋ガイド４９のガイド突起部４９ｂの構成例を示す上面図である。
【図１７】（Ａ）及び（Ｂ）は中径の螺旋コイル１１ｂの支持例を示す説明図である。
【図１８】大径の螺旋コイル１１ｃと用紙束３のパンチ孔３ａとのクリアランス例を示す説明図である。
【図１９】（Ａ）〜（Ｃ）は螺旋コイル１１ａ〜１１ｃの支持例を示す説明図である。
【図２０】バインド機構４０の待機時の動作例を示す側面図である。
【図２１】バインド機構４０における小径の螺旋コイル１１ａの位置設定時の動作例を示す側面図である。
【図２２】バインド機構４０における中径の螺旋コイル１１ｂの位置設定時の動作例を示す側面図である。
【図２３】バインド機構４０における大径の螺旋コイル１１ｃの位置設定時の動作例を示す側面図である。
【図２４】（Ａ）及び（Ｂ）は用紙揃えガイド４１の構成例を示す説明図である。
【図２５】（Ａ）及び（Ｂ）は用紙揃えガイド４１の機能例（その１）を示す説明図である。
【図２６】（Ａ）及び（Ｂ）は用紙揃えガイド４１の機能例（その２）を示す説明図である。
【図２７】（Ａ）及び（Ｂ）は用紙揃えガイド４１における小径及び大径の螺旋コイル１１ａ，１１ｃの挿入時の機能例を示す説明図である。
【図２８】（Ａ）及び（Ｂ）はカット＆折り曲げ機構７５の構成例を示す斜視図である。
【図２９】カット＆折り曲げ機構７５の組立例を示す斜視図である。
【図３０】カット＆折り曲げ機構７５の待機時の動作例を示す説明図である。
【図３１】カット＆折り曲げ機構７５のコイル切断時の動作例を示す説明図である。
【図３２】カット＆折り曲げ機構７５のコイル先端の折曲時の動作例を示す説明図である。
【図３３】端部処理済みの螺旋コイル１１ｃの構成例を示す斜視図である。
【図３４】線材カートリッジ１０及びその周辺機構の構成例を示す一部破砕の断面図である。
【図３５】線材カートリッジ１０の装着例を示す図である。
【図３６】（Ａ）及び（Ｂ）は、線材カートリッジ１０における線材検知例を示す図である。
【図３７】線材カートリッジ１０の他の配置例及び他の線材検知センサ６５’の構成例を示す図である。
【図３８】（Ａ）〜（Ｃ）は、線材張力機構１５’における線材検知例を示す図である。
【図３９】用紙処理装置１００の制御系の構成例を示すブロック図である。
【図４０】第１の実施例として画像形成システム１０１の構成例を示すブロック図である。
【図４１】画像形成システム１０１における用紙処理装置１００の動作例を示すフローチャートである。
【図４２】第２の実施例としてのコイルバインダ１０２の構成例を示す斜視図である。
【図４３】コイルバインダ１０２の取扱例を示す工程図である。
【図４４】コイルバインダ１０２の制御例を示すフローチャートである。
【手続補正３３】
【補正対象書類名】図面
【補正対象項目名】図３３
【補正方法】変更
【補正の内容】
【図３３】
2008213171.tif 000001
【手続補正３４】
【補正対象書類名】図面
【補正対象項目名】図３５
【補正方法】変更
【補正の内容】
【図３５】
2008213171.tif 000002
【手続補正３５】
【補正対象書類名】図面
【補正対象項目名】図３７
【補正方法】変更
【補正の内容】
【図３７】
2008213171.tif 000003
【手続補正３６】
【補正対象書類名】図面
【補正対象項目名】図３９
【補正方法】変更
【補正の内容】
【図３９】
2008213171.tif 000004
【手続補正３７】
【補正対象書類名】図面
【補正対象項目名】図４０
【補正方法】変更
【補正の内容】
【図４０】
2008213171.tif 000005